(57)【要約】【課題】仮設線の追加や撤去の作業を必要とせずに、制御プログラムの書き替え時においても書き替え前と同様の制御状態を維持することのできるプラント制御システムを得る。【解決手段】プラントの操作端を制御するための制御プログラムを格納し、制御プログラムに従って操作端への制御信号をオンオフする制御手段と、制御信号のオンオフ状態を表示する表示手段と、制御プログラムの書き替えによって制御信号がオフ状態の場合に、制御信号を強制的にオンさせる信号出力手段とを備えた。【選択図】　　　　図２
2004062291.tif 000002
【特許請求の範囲】
【請求項１】
プラントの操作端を制御するための制御プログラムを格納し、前記制御プログラムに従って前記操作端への制御信号をオンオフする制御手段と、
前記制御信号のオンオフ状態を表示する表示手段と、
前記制御プログラムの書き替えによって前記制御信号がオフ状態の場合に、前記制御信号を強制的にオンさせる信号出力手段と
を備えたことを特徴とするプラント制御システム。
【請求項２】
前記制御手段は、前記制御プログラムによる制御中に複数の操作端に出力される前記制御信号のオンオフ状態を記憶し、
前記信号出力手段は、前記複数の操作端に接続され、前記制御手段に記憶された前記複数の操作端への制御信号のオンオフ状態をそれぞれ確認し、前記制御信号がオン状態であった操作端を対象に、前記制御信号を強制的にオンさせることを特徴とする請求項１に記載のプラント制御システム。
【請求項３】
前記制御プログラムによる制御中に前記信号出力手段が作動しているか否かを検知する強制出力検知手段を備え、
前記強制出力検知手段は、前記信号出力手段の作動状態を前記制御手段に通知し、
前記制御手段は、前記信号出力手段が作動中であることを前記表示手段に表示させることを特徴とする請求項１または請求項２に記載のプラント制御システム。
【発明の詳細な説明】
【０００１】
【発明の属する技術分野】
この発明は、発電プラント等の運転を制御するプラント制御システムに関するものである。
【０００２】
【従来の技術】
発電所の建設時などは、プラントの試運転を頻繁に行い、その結果に応じて、プラントの制御装置に格納されている制御プログラムを書き替え、所望のプラント制御が可能となるように調整している。
【０００３】
図６〜図８は、従来のプラント制御システムの動作を示す説明図である。図６において、通常、プラント制御システムは、制御装置１に格納された制御プログラムによって、リレー盤（ＲＹ盤）２を介して操作端３、４をオンオフ制御する。
【０００４】
操作端３、４の制御は、制御装置１の制御プログラムによって行われているため、制御プログラムの書き替え中には制御を行うことができない。したがって、例えば操作端４に対しての制御信号がオン状態である場合、制御プログラムの書き替え時には、図７のように、書き替え直前まで制御信号がオンされていても、制御装置１はすべての制御信号を一旦オフに切り替え、操作端４を「閉」から「開」に切り替える。
【０００５】
このように、制御信号をオフに切り替えることで、書き替え直前まで制御信号がオンされていた操作端４においては、その制御状態が変化してしまう。操作端４の制御状態を変化させたくない場合には、図８のように、仮設線５を張って強制的に制御信号をオンさせ、操作端４を強制的に「閉」とし、制御プログラムの書き替え前の制御状態を維持させ、プラントの制御状態の変化を防止している。
【０００６】
制御プログラムの書き替えが終了すると、仮設線５を撤去して、制御プログラムによるプラント制御を再開する。
【０００７】
このように、制御プログラムの書き替えの度に、仮設線５の追加、撤去の作業が発生する。
【０００８】
【発明が解決しようとする課題】
従来のプラント制御システムは以上のように、仮設線５の撤去を忘れた場合、制御信号は常にオン状態となり、制御プログラムによって制御信号をオフに切り替えることができないという問題点があった。
【０００９】
この発明は上記のような問題点を解決するためになされたもので、仮設線５の追加や撤去の作業を必要とせずに、制御プログラムの書き替え時においても書き替え前と同様の制御状態を維持することのできるプラント制御システムを得ることを目的とする。
【００１０】
【課題を解決するための手段】
この発明に係るプラント制御システムは、プラントの操作端を制御するための制御プログラムを格納し、制御プログラムに従って操作端への制御信号をオンオフする制御手段と、制御信号のオンオフ状態を表示する表示手段と、制御プログラムの書き替えによって制御信号がオフ状態の場合に、制御信号を強制的にオンさせる信号出力手段とを備えたものである。
【００１１】
また、この発明に係るプラント制御システムの制御手段は、制御プログラムによる制御中に複数の操作端に出力される制御信号のオンオフ状態を記憶し、信号出力手段は、複数の操作端に接続され、制御手段に記憶された複数の操作端への制御信号のオンオフ状態をそれぞれ確認し、制御信号がオン状態であった操作端を対象に、制御信号を強制的にオンさせるものである。
【００１２】
さらに、この発明に係るプラント制御システムは、制御プログラムによる制御中に信号出力手段が作動しているか否かを検知する強制出力検知手段を備え、強制出力検知手段は、信号出力手段の作動状態を制御手段に通知し、制御手段は、信号出力手段が作動中であることを表示手段に表示させるものである。
【００１３】
【発明の実施の形態】
実施の形態１．
以下、図面を参照しながら、この発明の実施の形態１について詳細に説明する。
【００１４】
図１および図２は、この発明の実施の形態１におけるプラント制御システムの構成図である。図１および図２において、前述（図６〜図８参照）と同様のものについては、同一符号を付して詳述を省略する。
【００１５】
図１において、制御装置１は、リレー盤２を介して各操作端３、４に接続されており、制御装置１から出力される制御信号に応じて各操作端３、４が制御される。
【００１６】
プラント制御システムは、各操作端３、４へのそれぞれの制御信号のオンオフ状態を表示する表示装置６を備えている。また、図２において、操作端３、４への制御信号を強制的にオンにさせる信号出力スイッチ７、８を備え、１つの操作端に対して１つの信号出力スイッチ７、８が接続されている。
【００１７】
次に、この発明の実施の形態１による動作について説明する。
【００１８】
表示装置６は、例えば、ランプを備えており、制御装置１から出力される各操作端３、４への制御信号のオンオフ状態に応じて、制御装置１はランプ６を点灯、消灯させ、操作端３、４の制御状態を表示させる。
【００１９】
制御装置１は、制御信号がオン状態であればランプ６を点灯させ、オフ状態であればランプ６を消灯させる。作業者は、このランプ６の状態を確認することにより、現在の制御状態を確認することができる。
【００２０】
なお、各操作端３、４の制御状態を表示するためにランプ６を用いたが、制御状態を表示する表示装置の画面に制御状態を表示させてもよい。
【００２１】
制御装置１に格納された制御プログラムの書き替え時には、制御装置１は、制御信号をすべてオフ状態とし、書き替え直前にオン状態であっても強制的にオフに切り替える。ただし、ランプ６の点灯状態は、直前の状態のままとする。
【００２２】
図１において、例えば、制御プログラムの書き替え直前に操作端４への制御信号がオン状態であった場合、ランプ６が点灯した状態となる。
【００２３】
図２において、制御プログラムの書き替え時、制御信号がすべてオフに切り替わると、作業者は、ランプ６の点灯状態を確認し、書き替え直前に制御信号がオン状態であった操作端４に対応した信号出力スイッチ８をオンする。
【００２４】
信号出力スイッチ８がオンされたことにより、操作端４への制御信号が強制的にオンされ、操作端４が制御される。
【００２５】
制御プログラムが書き替えられ、制御プログラムによるプラント制御を再開した場合、作業者は、オンした信号出力スイッチ８をオフにすることにより、信号出力スイッチ８による制御を解除し、制御プログラムによる制御に移行させる。
【００２６】
このように、表示装置（ランプ）６と信号出力スイッチ７、８とを設け、ランプ６の点灯状態に応じて、各操作端３、４に対応する信号出力スイッチ７、８を操作することにより、制御プログラムが書き替え中の場合でも、書き替え直前の制御状態を維持することができ、書き替え時の作業性の向上を図ることができる。
【００２７】
実施の形態２．
なお、上記実施の形態１では、各操作端への制御信号を個別にオンオフすることができる信号出力スイッチを設けたが、１つのスイッチで対象となるすべての操作端を制御させるスイッチを設けてもよい。
【００２８】
図３および図４は、この発明の実施の形態２におけるプラント制御システムの構成図である。図３および図４において、前述（図１、図２、図６〜図８参照）と同様のものについては、同一符号を付して詳述を省略する。
【００２９】
図３において、制御装置１は、各操作端３、４への制御信号のオンオフ状態を記憶させ、スイッチがオンされることにより、書き替え直前にオン状態の制御信号が出力されていた操作端に対する制御信号をオンさせる一斉信号出力スイッチ９を備えている。
【００３０】
次に、この発明の実施の形態２による動作について説明する。
【００３１】
制御装置１は、制御プログラムによる制御中、制御装置１内のメモリ（図示せず）に各操作端３、４へ出力される制御信号のオンオフ状態を記憶させる。
【００３２】
例えば、図３において、制御装置１は、操作端４への制御信号がオン状態であることをメモリに記憶させる。
【００３３】
制御プログラムの書き替え時は、制御信号がオン状態であった操作端４を含め、すべての操作端への制御信号をオフに切り替え、操作端４を「閉」から「開」に切り替える。
【００３４】
図４において、制御プログラムの書き替え時、作業者は、操作端４への制御信号をオンに切り替え、操作端４を「閉」に切り替えるために一斉信号出力スイッチ９をオンする。
【００３５】
一斉信号出力スイッチ９がオンされると、制御装置１は、メモリに記憶された制御プログラム書き替え直前の各操作端に対する制御信号のオンオフ状態を確認する。
【００３６】
続いて、制御装置１は、制御プログラム書き替え直前において、操作端４を含め、制御信号がオン状態であったすべての操作端に対しての制御信号をオンする。
【００３７】
制御信号がオンされた操作端４は「閉」状態に制御される。
【００３８】
制御プログラムの書き替えが終了し、制御プログラムによる制御を再開する場合、一斉信号出力スイッチ９をオフにすることにより、各操作端に対して制御プログラムによる制御が可能となる。
【００３９】
このように、１つのスイッチの操作により、制御プログラムの書き替え直前に制御信号がオン状態であったすべての操作端に対して制御信号をオンするので、制御プログラムが書き替え中であっても、書き替え直前の制御状態を維持することができ、書き替え時の作業性の向上を図ることができる。
【００４０】
実施の形態３．
なお、上記実施の形態１、２では、制御プログラム書き替え後の信号出力スイッチについて言及しなかったが、信号出力スイッチがオフされているか否かを検知させてもよい。
【００４１】
図５は、この発明の実施の形態３におけるプラント制御システムの構成図である。図５において、前述（図１〜図４、図６〜図８参照）と同様のものについては、同一符号を付して詳述を省略する。
【００４２】
図５において、プラント制御システムは、制御プログラムを書き替え、制御プログラムによる制御再開後、信号出力スイッチ７、８がオンされているか否かを検知する信号出力スイッチ検知装置１０を備えている。
【００４３】
次に、この発明の実施の形態３による動作について説明する。
【００４４】
制御プログラムが書き替えられ、制御プログラムによる制御が再開されると、オンされていた信号出力スイッチ８は、作業者によってオフに切り替えられるが、信号出力スイッチ検知装置１０は、信号出力スイッチ８の切り忘れを検知する。
【００４５】
制御プログラムによる制御が再開されても信号出力スイッチ８がオンのままであった場合、制御プログラムによって操作端４を「閉」から「開」に切り替えようとしても、信号出力スイッチ８による制御信号が優先されるので、「開」に切り替えることができず、操作端４の制御状態を変更することができない。
【００４６】
したがって、制御プログラムによる制御が再開された場合には、強制的に制御信号を出力させていた信号出力スイッチ８をオフにする必要がある。
【００４７】
信号出力スイッチ検知装置１０は、制御プログラムによる制御が再開されると、各操作端３、４の信号出力スイッチ７、８のオンオフ状態とを確認し、オンされている信号出力スイッチ８が存在することを制御装置１に通知する。
【００４８】
制御装置１は、表示装置６の画面に、オンされている信号出力スイッチ８が存在することを表示させる。
【００４９】
表示装置６の画面を見た作業者は、信号出力スイッチ８の切り忘れを確認することができ、信号出力スイッチ８をオフに切り替える。
【００５０】
このように、制御プログラムによる制御再開時に、信号出力スイッチ７、８を切り忘れても、切り忘れた信号出力スイッチを検知することができ、信号出力スイッチ７、８の切り忘れを防止することができる。
【００５１】
なお、制御プログラム書き替え時に、制御信号を一斉にオンさせる一斉信号出力スイッチ９のオンオフ状態を検知させてもよい。
【００５２】
【発明の効果】
以上のように、この発明によれば、プラントの操作端を制御するための制御プログラムを格納し、制御プログラムに従って操作端への制御信号をオンオフする制御手段と、制御信号のオンオフ状態を表示する表示手段と、制御プログラムの書き替えによって制御信号がオフ状態の場合に、制御信号を強制的にオンさせる信号出力手段とを備えたので、制御プログラムが書き替え中の場合でも、書き替え直前の制御状態を維持することができ、書き替え時の作業性の向上を図ることのできるプラント制御システムが得られるという効果がある。
【００５３】
また、この発明によれば、制御手段は、制御プログラムによる制御中に複数の操作端に出力される制御信号のオンオフ状態を記憶し、信号出力手段は、複数の操作端に接続され、制御手段に記憶された複数の操作端への制御信号のオンオフ状態をそれぞれ確認し、制御信号がオン状態であった操作端を対象に、制御信号を強制的にオンさせるので、制御プログラムの書き替え直前に制御信号がオン状態であったすべての操作端に対する制御信号をオンし、制御プログラムが書き替え中であっても、書き替え直前の制御状態を維持することができ、書き替え時の作業性の向上を図ることのできるプラント制御システムが得られるという効果がある。
【００５４】
さらに、この発明によれば、制御プログラムによる制御中に信号出力手段が作動しているか否かを検知する強制出力検知手段を備え、強制出力検知手段は、信号出力手段の作動状態を制御手段に通知し、制御手段は、信号出力手段が作動中であることを表示手段に表示させるので、制御プログラムによる制御再開時における信号出力スイッチの切り忘れを防止することのできるプラント制御システムが得られるという効果がある。
【図面の簡単な説明】
【図１】この発明の実施の形態１による動作を示す説明図である。
【図２】この発明の実施の形態１による動作を示す説明図である。
【図３】この発明の実施の形態２による動作を示す説明図である。
【図４】この発明の実施の形態２による動作を示す説明図である。
【図５】この発明の実施の形態３による動作を示す説明図である。
【図６】従来のプラント制御システムを示す構成図である。
【図７】従来のプラント制御システムの動作を示す説明図である。
【図８】従来のプラント制御システムの動作を示す説明図である。
【符号の説明】
１　制御装置、２　リレー盤（ＲＹ盤）、３、４　操作端。
【図１】
2004062291.tif 000003
【図２】
2004062291.tif 000004
【図３】
2004062291.tif 000005
【図４】
2004062291.tif 000006
【図５】
2004062291.tif 000007
【図６】
2004062291.tif 000008
【図７】
2004062291.tif 000009
【図８】
2004062291.tif 000010